(57)【特許請求の範囲】
【請求項１】
排煙及び／又は油ミストの発生源からの気流を筒体内に導入し、筒体における気流導入口の近傍、或いは筒体内で気流を横断して回転する回転フィルタに通過させることにより、気流中の液分及び粉塵のうち少なくとも液分を、回転フィルタの遠心力により、当該回転フィルタからその周囲に収集、除去する排煙及び／又は油ミストの処理方法において、前記回転フィルタを筒体の軸心方向に振動させ、回転フィルタに捕捉された液分及び粉塵のうち少なくとも液分を下方の収集部に払い落とすことを特徴とする排煙及び／又は油ミストの処理方法。
【請求項２】
排煙及び／又は油ミストの発生源と筒体との間の通気路に液分離装置を設け、この液分離装置によって気流中の液分の一部を分離、回収した後、回転フィルタによって、気流から残りの液分及び粉塵のうち少なくとも液分を分離する請求項１に記載の排煙及び／又は油ミストの処理方法。
【請求項３】
回転フィルタと筒体との間にラビリンスシールを設けて回転フィルタの上流側からその周囲を通って下流側に気流が流れることを防止する請求項１又は２に記載の排煙及び／又は油ミストの処理方法。
【請求項４】
筒体の内面に付着した高粘性液分を加熱して低粘性液化する請求項１ないし３のいずれか１項に記載の排煙及び／又は油ミストの処理方法。
【請求項５】
収集部に液体吸収能力を有する吸液層を配置し、収集部に収集された液分をこの吸液層に吸収させる請求項１ないし４のいずれか１項に記載の排煙及び／又は油ミストの処理方法。
【請求項６】
収集部内で粉塵と液分とを分別して収集する請求項１ないし５のいずれか１項に記載の排煙及び／又は油ミストの処理方法。
【請求項７】
排煙及び／又は油ミストの発生源からの気流が筒体を経て外部に強制流動される請求項１ないし６のいずれか１項に記載の排煙及び／又は油ミストの処理方法。
【請求項８】
筒体から排出された気流から更に集塵装置によって塵埃を除去する請求項１ないし７のいずれか１項に記載の排煙及び／又は油ミストの処理方法。
【請求項９】
筒体から排出された気流から有害ガス除去装置で有害ガス成分を除去する請求項１ないし８のいずれか１項に記載の排煙及び／又は油ミストの処理方法。
【請求項１０】
排煙及び／又は油ミストの発生源に連通される気流導入口と大気中に連通される気流導出口とを有する筒体と、筒体における気流導入口の近傍或いは筒体における気流導入口と気流導出口との間に筒体の軸心回りに回転可能に、かつ該筒体の軸心方向に振動可能に配置され、この軸心方向に通気性を有する板状ないし盤状の回転フィルタと、この回転フィルタを回転させる回転駆動装置と、この回転フィルタを筒体の軸心方向に振動させる起振装置と、回転フィルタにより気流から分離された液分及び粉塵のうち少なくとも液分を収集する収集部を備えることを特徴とする排煙及び／又は油ミストの処理装置。
【請求項１１】
回転フィルタの濾材が繊維、網、ブラシ、有孔板のうちの１種又は２種以上で構成されている請求項１０に記載の排煙及び／又は油ミストの処理装置。
【請求項１２】
回転フィルタの外周部を筒体の内周面に接近させて回転フィルタと筒体との間に形成した第１の絞り口と、回転フィルタの近傍で筒体の内周面から筒体内に突出させたリングと回転フィルタの間に形成される第２の絞り口と、第１・第２両絞り口の間でリングと回転フィルタの間に形成される膨脹室とからなるラビリンスシールを設けた請求項１０又は１１に記載の排煙及び／又は油ミストの処理装置。
【請求項１３】
回転フィルタが気流の流路に沿って多段に設けられている請求項１０ないし１２のいずれか１項に記載の排煙及び／又は油ミストの処理装置。
【請求項１４】
１つの筒体内に複数の回転フィルタが筒体の軸心方向に並べて多段に設けられ、共通の回転駆動装置によりこれら回転フィルタが回転駆動される請求項１０ないし１３のいずれか１項に記載の排煙及び／又は油ミストの処理装置。
【請求項１５】
筒体及び回転フィルタが縦軸に配置される請求項１４に記載の排煙及び／又は油ミストの処理装置。
【請求項１６】
筒体を加熱する加熱装置が設けられる請求項１０ないし１５のいずれか１項に記載の排煙及び／又は油ミストの処理装置。
【請求項１７】
収集部内に液体吸収能力を有する液分吸収層を配置した請求項１０ないし１６のいずれか１項に記載の排煙及び／又は油ミストの処理装置。
【請求項１８】
収集部内に、液分を収集する液分収集部と粉塵を収集する粉塵収集部とを上下に設けた請求項１０ないし１７のいずれか１項に記載の排煙及び／又は油ミストの処理装置。
【請求項１９】
筒体の気流導出口に連通される集塵装置が設けられている請求項１０ないし１８のいずれか１項に記載の排煙及び／又は油ミストの処理装置。
【請求項２０】
筒体の気流導出口に連通される有害ガス処理装置が設けられている請求項１０ないし１９のいずれか１項に記載の排煙及び／又は油ミストの処理装置。
【請求項２１】
気流を筒体内で気流導入口から回転フィルタを通って気流導出口に強制流動させる送風機が設けられている請求項１０ないし２０のいずれか１項に記載の排煙及び／又は油ミストの処理装置。
【請求項２２】
筒体及び回転フィルタを縦軸に配置し、回転フィルタにその濾材の周囲を取り囲んで上流側に立ち上がる周囲枠を設け、排水発生源から導かれた排水を筒体内に導入し、筒体における排水導入口の近傍、或いは筒体内で排水流を横断して回転する回転フィルタに通過させることにより、排水中の浮遊物等の固形分を、回転フィルタの遠心力により、回転フィルタの周囲に排出して収集、除去することを特徴とする排水処理方法。
【請求項２３】
筒体に導入される前に排水に凝集剤を添加する請求項２２に記載の排水処理方法。
【請求項２４】
回転フィルタの周囲枠の内周面及び濾材に沿って回転フィルタから取外し可能に回転フィルタに支持させた収集かごに、回転フィルタの遠心力により回転フィルタの周囲に排出された固形分を収集する請求項２２又は２３に記載の排水処理方法。
【請求項２５】
回転フィルタと筒体との間に形成したラビリンスシールにより、回転フィルタの上流側からその周囲を通って下流側に排水が流れることを防止する請求項２２ないし２４のいずれか１項に記載の排水処理方法。
【請求項２６】
排水発生源からの排水が筒体を経て外部に強制流動される請求項２２ないし２５のいずれか１項に記載の排水処理方法。
【請求項２７】
排水発生源に連通される排水導入口と、放水口に連通される排水導出口とを有する筒体と、筒体における排水導入口の近傍、或いは筒体における排水導入口と排水導出口との間に筒体の軸心周りに回転可能に配置され、且つこの軸心方向に通気性を有する円板状ないし円盤状の回転フィルタと、この回転フィルタを回転させる回転駆動装置と、回転フィルタの遠心力により排水から分離されて該回転フィルタの周囲に排出された固形分を収集する収集部を備え、しかも前記筒体及び前記回転フィルタが縦軸に配置され、且つ回転フィルタの上方に排水導入口が、下方に排水導出口がそれぞれ配置され、上記回転フィルタが濾材の周囲を取り囲み、上流側に立ち上がる周囲枠を設けて、回転フィルタを収集部に兼用させたことを特徴とする排水処理装置。
【請求項２８】
回転フィルタの濾材が繊維、網、ブラシ、有孔板のうちの１種又は２種以上から構成されている請求項２７に記載の排水処理装置。
【請求項２９】
回転フィルタの周囲枠の内周面及び濾材の上面に沿い、回転フィルタに、当該回転フィルタから取外し可能に支持される収集かごを設けた請求項２７又は２８に記載の排水処理装置。
【請求項３０】
回転フィルタの外周部を筒体の内周面に接近させて形成した第１の絞り口、回転フィルタの近傍で筒体の内周面から内側に突出させたリングと回転フィルタの間に形成される第２の絞り口、及び、第１・第２両絞り口の間でリングと回転フィルタの間に形成される膨脹室からなるラビリンスシールを設けた請求項２７ないし２９のいずれか１項に記載の排水処理装置。
【請求項３１】
収集部内に油分を吸収する油分吸収層を配置した請求項２７ないし３０のいずれか１項に記載の排水処理装置。
【請求項３２】
排水を筒体内で排水導入口から回転フィルタを通って排水導出口に強制流動させるポンプが設けられている請求項２７ないし３１のいずれか１項に記載の排水処理装置。
【発明の詳細な説明】
【０００１】
【産業上の利用分野】
本発明は、排煙及び／又は油ミスト処理方法及びその処理装置並びに排水処理方法及びその処理装置に関し、特に回転フィルタを用いることにより気流中の水や油等の液分及び粉塵のうち少なくとも液分を効率的に除去して回収するようにした排煙及び／又は油ミスト処理方法及びその処理装置と、回転フィルタを用いることにより排水中の浮遊物等の固形分を迅速に除去、回収できるようにした排水処理方法及びその処理装置に関する。
【０００２】
【従来の技術】
近年、環境浄化という観点から大気や水質の汚染ないし汚濁を防止する技術はあらゆる産業において非常に重要視されるようになっており、有害物質を含んだ排煙や排水が発生する製造業や加工業のみならず、日常生活から排出されるゴミの焼却処理施設からの排煙や下水処理施設からの排水にも有害物質が含まれていることが問題視されている。
【０００３】
ゴミ焼却処理施設、製造工場又は加工工場などの種々の事業所において、排煙発生源から発生する排煙には、いわゆる、塵埃と呼ばれる固体と、酸性成分を含有する水分や油分などの液分と、気体とに大別され、それぞれそのまま大気中に放出することが許されない有害な成分を含んでいる。
【０００４】
これら有害成分を含む固体は集塵装置によって塵埃として排煙から除去され、回収された後、いわゆる、産業廃棄物として処理されるのであり、又、有害成分を含む液分及び気体は酸化、還元、中和などの処理によって除去した後、産業廃棄物として処理されたり、これらの処理によって無害化して大気中に放出されたりしている。
【０００５】
有害物質の種類は多彩であるが、例えばゴミ処理施設の焼却排煙中には、酸性雨の原因物質として周知されている塩素系化合物、窒素系酸化物、硫黄系酸化物などの他に、カドミウム系、ヒ素系、水銀系などの化合物が含まれている場合がある。
【０００６】
これらの中で、特に上記塩素系化合物、窒素系酸化物、硫黄系酸化物などの酸性ガスは排煙処理施設の腐食を速める原因物質でもあり、設備の寿命を長くするためにも、排煙発生源からの排煙発生後、直ちに、除去することが望まれている。
【０００７】
ゴミ焼却排煙の場合、この種の腐食性を有する物質は大部分が焼却時に生成し、燃焼の際に生じる水分に溶解して塩酸、次亜塩素酸、亜硝酸、硝酸、亜硫酸、硫酸などの微小な酸性ミストとなって排出されるのであり、このような酸性ミストを排煙中から除去する方法としては、アルカリ水のシャワー中に排煙を通過させて中和するシャワー法、アルカリ水で湿潤させた筒状体（ラシッヒリング）内に排煙を通過させて吸着させるラシッヒリング法、触媒を用い、酸化還元反応によって無害な窒素ガスに変化させる燃焼法、などが知られている。
【０００８】
又、油ミストの発生源、例えば製鉄業や金属の切削加工業等の分野では焼入れや焼きなまし更に金属の切削加工の際に潤滑剤、過熱防止剤として油が用いられているが、この際、多量の油ミストが発生する。
【０００９】
この油ミストは工場内や工場周辺を汚損したり、大気中に放出されて、紫外線、窒素酸化物、オゾン等の影響を受けて、いわゆるオキシダントの発生原因になると指摘されている。
【００１０】
一方、排煙処理に並んで、重要な廃棄物処理である排水処理の分野では、特に、健康障害の重大な原因物質であるカドミウム、ひ素、鉛、水銀などの重金属を除去することが重要視されている。
【００１１】
これらの重金属を排水中から除去する方法としては、アルカリ凝集沈澱法、可溶性の硫化物水溶液を添加して不溶性の硫化物に変化させる硫化沈澱法などが知られている。
【００１２】
ここで、アルカリ凝集法とは、排水にアルカリ性水溶液を添加して重金属を不溶性の水酸化物に変化させ、これに有機系凝集剤を添加して凝集、沈澱させた後、濾過などにより除去する方法であり、硫化沈澱法とは、排水に硫化物の水溶液を添加して重金属を不溶性の硫化物に変化させ、これに有機系凝集剤を添加して凝集、沈澱させた後、濾過などにより除去する方法である。
【００１３】
この場合、濾過には、主としてフィルタープレスが用いられるのであり、又、上記硫化沈澱法は、重金属の除去効率を向上させるために、アルカリ凝集法の後に行われることが多々有る。
【００１４】
【発明が解決しようとする課題】
上記排煙処理において、上記のシャワー法及びラシッヒリング法は、大掛かりで、しかも複雑な処理施設が必要であり、その管理に多大な費用が掛かる結果、至極コスト高になるのであり、加えて、広い設置面積が必要で、設置箇所が大きく制限されるなどの課題がある。
【００１５】
又、シャワー液として循環使用されるアルカリ水はＰＨを監視し続けないと、シャワー液で処理した後、この処理後の排煙中の塩素系化合物、窒素系酸化物、硫黄系酸化物などの酸性ガスの濃度が大きく変化し、後処理装置、例えば煙道、送風機、電気集塵機等の集塵機を腐食させ、そのメンテナンスに多大の費用が掛かったり、集塵機等の後処理装置の寿命が極端に短くなる等の甚大な影響を与える。
【００１６】
このため、アルカリ水のＰＨを逐次監視し、必要に応じてアルカリ水を交換したり、塩基性物質を補充してＰＨ調整を行う必要があり、管理が面倒な上、ランニングコストが高くなる。
【００１７】
これらの点は、ラシッヒリング法でも同様であるが、ラシッヒリング法の場合、特に排煙が抵抗が少ない一定の通路しか通過しないから、排煙がラシッヒリング内に有効に接触しない箇所が有る結果、吸収効率が低くなる場合が生じる。
【００１８】
このため、排煙中の塩素系化合物、窒素系酸化物、硫黄系酸化物などの酸性ガス濃度を一層厳格に逐次監視し続け、必要に応じて、ラシッヒリングを移動させ、排煙通路を変更させたり、アルカリ水を交換したり、塩基性物質を補充してＰＨ調整行う必要があり、管理が面倒な上、ランニングコストが高くなる。
【００１９】
ところで、排煙中の酸性ガスを吸収させた排水は大掛かりな排水処理施設で処理されるから、この排水の発生量を極力少なくする必要があるが、これらの方法では、大量のアルカリ水を用いる結果、排水量を少なくすることができないのである。
【００２０】
焼却法は、触媒を用い、還元性のガスを加え、酸化還元反応によって、窒素系酸化物を無害な窒素ガスに還元、変化させるものであるが、処理可能な酸性ガスが特定のものに限定される結果、ゴミ焼却施設のように、塩素系化合物や硫黄系酸化物を多量に発生するゴミ焼却施設等の排煙発生源に対しては所要の除去効果がほとんど得られないという、致命的な欠陥がある。
【００２１】
又、焼却法は、高価な触媒を用いているのでコスト高になるのであり、しかも特に、ゴミ焼却施設のように、合成樹脂やゴム系物質には分子中に、塩素原子、窒素原子及び硫黄原子を含むものが多く、その結果、この合成樹脂やゴム系物質が燃焼すると、塩素系化合物、窒素系酸化物及び硫黄系酸化物を多量に含む排煙が発生するが、この複合酸性ガスは、個々の成分の場合と比較して、酸化力や腐食力が著しく高く、触媒の効能が短期間で失われるだけでなく、排煙処理後の処理施設を一層早期に腐食するという、致命的な欠陥が有る。
【００２２】
以上のことより、塩素系化合物、窒素系酸化物又は硫黄系酸化物等の酸性ガスが溶解した液分（微細な水滴や油分）を多量に含む排煙はその水槽による中和処理前に、予め、酸性ガスが溶解した液分（微細な水滴や油分）を除去することが重要であるにも拘わらず、従来、このような措置はなされていないのが実情である。
【００２３】
又、製鉄業や金属の切削加工業等における油ミストの発生源から発生した油ミストはオイルフィルターによって除去されるが、この油ミストは熱の影響で高分子量化し、粘性が高く、オイルフィルターに付着すると除去が困難になって、頻繁に交換する必要が有り、至極不経済になる。
【００２４】
一方、事業所においてはカドミウム、ひ素、鉛又は水銀などの有害物質を含有する浮遊物等の固形物含有の排水が多量に発生するが、この排水処理には、上述のように、アルカリ凝集沈澱法、硫化沈澱法などが採用されている。
【００２５】
この処理の際、有機系凝集剤を添加して凝集、沈澱させた後、フィルタープレスで濾過、除去しているが、アルカリ液や硫化物更に有機系凝集剤の添加によって浮遊物等の固形物が大量に発生し、この処理に莫大な費用が必要となる。
【００２６】
即ち、排水処理によって発生した固形物はフィルタープレスによって加圧、濾過されるが、この濾過後の固形物は産業廃棄物処理業者に処理が依頼され、この際に多額の費用が掛かる。
【００２７】
特に、フィルタープレスによる濾過後の固形物には、有機系凝集剤が水分の保持力が高い結果、７０〜８０重量％の水分を含んでおり、これによって、産業廃棄物の発生量が一層多くなり、処理コストが高くなる原因となっている。
【００２８】
この費用を極力少なくするには、必然的に、産業廃棄物の発生量を極力少なくする必要があるが、これには排水処理前に、予め、有害物質を含有する浮遊物等の固形物を除去するか 、或いは有機系凝集剤を添加する前にこの固形物を除去することが重要であるにも拘わらず、従来、このような措置はなされていないのが実情である。
【００２９】
本発明は、上記の技術的事情に鑑みてなされたものであり、排煙及び／又は油ミストの発生源からの気流を筒体内に導入するにあたり、筒体における気流導入口の近傍、或いは筒体内で気流を横断して回転する回転フィルタに通過させることにより、気流中の液分及び粉塵のうち少なくとも液分を、回転フィルタの遠心力により、当該回転フィルタの周囲に収集して効率的に除去、回収できるようにした排煙及び／又は油ミストの処理方法及びその処理装置を提供することを目的とする。
【００３０】
本発明は、上記の技術的事情に鑑みてなされたものであり、筒体及び回転フィルタを縦軸に配置し、回転フィルタにその濾材の周囲を取り囲んで上流側に立ち上がる周囲枠を設け、排水発生源から導かれた排水を筒体内に導入し、この筒体における排水導入口の近傍、或いは筒体内で排水流を横断して回転する回転フィルタに通過させることにより、排水中の浮遊物等の固形分を、回転フィルタの遠心力により回転フィルタの周囲に排出して収集、除去するようにした排水処理方法及びその処理装置を提供することを目的とする。
【００３１】
【課題を解決するための手段】
本発明に係る排煙及び／又は油ミストの処理方法は、上記の目的を達成するために、
排煙及び／又は油ミストの発生源からの気流を筒体内に導入し、筒体における気流導入口の近傍、或いは筒体内で気流を横断して回転する回転フィルタに通過させることにより、気流中の液分及び粉塵のうち少なくとも液分を、回転フィルタの遠心力により、当該回転フィルタからその周囲に収集、除去する排煙及び／又は油ミストの処理方法において、前記回転フィルタを筒体の軸心方向に振動させ、回転フィルタに捕捉された液分及び粉塵のうち少なくとも液分を下方の収集部に払い落とすことを特徴とするものである。
【００３２】
又、本発明に係る排煙及び／又は油ミストの処理装置は、上記本発明に係る排煙及び／又は油ミストの処理方法を実施するために、排煙及び／又は油ミストの発生源に連通される気流導入口と大気中に連通される気流導出口とを有する筒体と、筒体における気流導入口の近傍或いは筒体における気流導入口と気流導出口との間に筒体の軸心回りに回転可能に、かつ該筒体の軸心方向に振動可能に配置され、この軸心方向に通気性を有する板状ないし盤状の回転フィルタと、この回転フィルタを回転させる回転駆動装置と、この回転フィルタを筒体の軸心方向に振動させる起振装置と、回転フィルタにより気流から分離された液分及び粉塵のうち少なくとも液分を収集する収集部を備えることを特徴とするものである。
【００３３】
以下、まず本発明に係る排煙及び／又は油ミストの処理方法及びその処理装置を更に詳細に説明する。
本発明において、排煙の発生源としては排煙を発生し、しかもこの排煙中に水等の液分を含有するものであれば特に限定されるものではないが、特に、燃焼等によって、塩素系化合物、窒素系酸化物又は硫黄系酸化物等の酸性ガスや有害物質を発生し、この酸性ガス等が溶解している液分含有の排煙を発生するものに好適に用いられるのであり、具体的には、例えばゴミ焼却処理施設などの廃棄物焼却処理施設、各事業所における燃焼炉や焼却炉等、広範囲な産業分野における排煙を発生する施設、設備又は装置が含まれるのであり、特に、多量の塩素系化合物、窒素系酸化物、硫黄系酸化物等の酸性物質や有害物質を含む水分や油分が多量に生成するゴミ焼却施設は本発明が最も好適に適用される排煙発生源の典型的なものである。
【００３４】
又、本発明において、油ミストの発生源としては油ミストを発生する施設、設備又は装置であれば特に限定されるものではないが、特に、油ミストの発生量が大である分野、具体的には、例えば製鉄業や金属の切削加工業等の分野において好適に用いられる。
【００３５】
本発明の排煙及び／又は油ミストの処理方法においては、排煙及び／又は油ミストの発生源からの気流を筒体内に導く通気路の長さは特に限定されるものではなく、具体的には、例えば、特に多量の液分が気流中に含まれる場合などに、排煙及び／又は油ミストの発生源から筒体に至る通気路に液分離装置を介在させることが挙げられるが、この場合も含めて、できるだけ速やかに気流から酸性ガスを含有する液分及び粉塵のうち少なくとも液分を除去できるようにするために、できるだけ排煙及び／又は油ミストの発生源から短距離に筒体を配置することが好ましい。
【００３６】
上記液分離装置としては、液分を分離できるようにしてあれば良く、例えば匣体内に多数の邪魔板を平行に並べて配置し、各邪魔板の両端部に交互に通気路を開設して匣体内を気流が蛇行しながら流れるようにして、気流の流れが曲がる所で慣性によって液分が気流から分離させるように構成したものを用いることができる。
【００３７】
ところで、本発明の排煙及び／又は油ミストの処理方法及びその処理装置において、液分とは水分や油分更に油ミストなどのうち少なくとも１種を含むものをいう。
【００３８】
この場合、この液分離装置による液分の分離を一層確実にするために、予め、気流を空冷或いは水冷によって匣体内を冷却して、この液分をできるだけ凝縮、分離するのが望ましい。
【００３９】
本発明の排煙及び／又は油ミストの処理装置においては、回転フィルタが、筒体における気流導入口の近傍、或いは筒体における気流導入口と気流導出口との間に筒体の軸心回りに回転可能に、しかも気流を横断して回転可能に配置されていることが望ましい。
【００４０】
即ち、このように酸性ガス等を含む気流は、排煙及び／又は油ミストの発生源から発生した後、直ちに、処理するのが望ましいが、これとは逆に、筒体における気流導出口に回転フィルタを設け、この回転フィルタにおける気流導入口側に螺旋状の搬送フィルタを設け、上記回転フィルタによって飛ばされ、且つ筒体の内壁面に付着した液分を、この螺旋状の搬送フィルタによて強制的に、例えば液分の収集部に送り込むようにしても良いのである。このように螺旋状フィルタを用いることにより、この螺旋状フィルタが液分を強制的に液分の収集部に送り込むだけでなく、排煙及び／又は油ミストの発生源から発生した液分や粉塵も除去するので望ましい。
【００４１】
この螺旋状の搬送フィルタを用い、筒体の内壁面に付着した液分を強制的に液分収集部に送り込む場合には、この螺旋状の搬送フィルタは筒体の内壁面に付着した液分を強制的に液分収集部に送り込むような構造にしてあれば特に限定されるものではないが、具体的には、例えば螺旋状の回転ブラシが挙げられる。
【００４２】
ところで、気流導入口及び気流導出口の開口状態は特に限定されるものではなく、例えば筒体の端面の全部または一部にわたって開口してもよく、又、筒体の周面に開口させてもよい。
【００４３】
上記筒体の断面形状は特に限定されず、四角筒形、五角筒形、六角筒形、八角筒形などの多角筒形状、或いは楕円筒形状に形成してもよいが、回転フィルタとの間に大きな隙間が形成されないように、円筒形状にすることが好ましい。
【００４４】
又，上記筒体の材質は、特に限定されるものではないが、例えば合成樹脂、セメント、煉瓦、金属などを用いることができるが、所要の機械的強度、耐候性、耐酸性、耐アルカリ性、耐薬品性、耐蝕性、及び耐熱性を備えることが好ましく、このような観点から、例えばステンレス鋼板などを用いることが望ましい。
【００４５】
なお、上記筒体の内径は、処理する気流の量にも依存するので一概には言えないが、例えば２００〜３０００ｍｍとされる。
【００４６】
上記回転フィルタは、気流を横断して回転させるために、筒体における気流導入口の近傍、或いは筒体における気流導入口と気流導出口との間に、筒体の軸心回りに回転可能に配置される板状ないし盤状に形成され、かつ、気流を通過させるために、この軸心方向に通気性を有するように構成される。
【００４７】
具体的には、濾材として繊維、網、ブラシ、有孔板のうちの１種又は２種以上から構成されたものを備えるものが挙げられるのであり、例えばブラシからなる濾材、複数枚の網を重ねた濾材、ブラシの片面または両面に網や有孔板を重ねた濾材などを備えるフィルタ等、種々のものが挙げられる。
【００４８】
回転フィルタの輪郭形状は、特に限定されないが、回転時に振動を発生しないようにするため、その重心が回転軸心上に位置する形状にすることが好ましく、例えば、正方形、正五角形、正六角形、正八角形などの正多角形、円形、楕円形などにすればよい。しかしながら、これらの中では、回転フィルタの作用が周方向に均一になるように回転軸心を中心とする円形の輪郭を採用することが最も好ましい。
【００４９】
上記濾材の材質は、特に限定されるものではないが、具体的には、例えば天然又は合成の繊維、セラミックウール、ロックウール、銅線、真鍮線、鋼線、ステンレス線、チタン線、燐青銅線などの金属線又はカーボン繊維から選ばれた１種、或いはこれらの中の２種類以上の複合材を用いることができるが、所要の機械的強度、耐候性、耐酸性、耐アルカリ性、耐薬品性、耐蝕性及び耐熱性を備えることが好ましい。
【００５０】
回転フィルタの外径は、処理する通気量にも依存するので、一概には言えないが、外周面を筒体の内周面に回転フィルタの回転によりラビリンス効果ないしスリンガ効果が生じる程度に接近させて、このラビリンス効果ないしスリンガ効果により、気流が気流導出口側から気流導入口側に逆流することを防止して、筒体の周壁に沿って沈降する液分及び粉塵のうち少なくとも液分が気流から分離される効果を高めることが好ましく、具体的には、筒体或いは通気路の内周面に接触ないし筒体或いは通気路の内周面との間に５ｍｍ程度までの隙間が開く程度にすることが好ましい。
【００５１】
又、本発明の排煙及び／又は油ミストの処理方法及びその処理装置においては、気流を１回だけ回転フィルタに通過させるだけでもよいが、複数回にわたって回転フィルタに通過させてもよい。この場合、１つの回転フィルタを備える複数の筒体に順に気流を導くようにしてもよく、１つの筒体内に複数の回転フィルタが筒体の軸心方向に並べて多段に設けられ、共通の回転駆動装置によりこれら回転フィルタが駆動されるようにしてもよい。
【００５２】
１つの筒体内に複数の回転フィルタが筒体の軸心方向に並べて多段に設けられ、共通の回転駆動装置によりこれら回転フィルタが駆動されるように構成した場合において、この隣接する回転ブラシ間に筒体の内壁面に付着した液分を強制的に液分の収集部に送り込む螺旋状の搬送フィルタを設けると、確実に当該液分を液分の収集部に搬送できるので至極有益である。
【００５３】
このように筒体内に回転フィルタを設けるのに代えて、筒体における気流導入口の近傍において、排煙を１回だけ回転フィルタに通過させるだけでもよいが、複数回にわたって回転フィルタに通過させてもよいのである。
【００５４】
更に、この回転フィルタには、例えば活性炭、ゼオライト、界面活性剤などの吸着剤を担持させて有害ガスの吸着処理の機能を与えたり、電圧を印加して静電吸着による除塵機能を与えたりすることも可能である。
【００５５】
本発明の排煙処理方法において、排煙及び／又は油ミストの発生源からの気流は気流導入口から筒体内に流入し、回転フィルタを通って、気流導出口から排出されるが、筒体内での気流の流れの方向は、筒体の軸の向き、気流導入口及び気流導出口の配置によって決まる。
【００５６】
つまり、筒体の軸の向きとしては、縦軸、横軸あるいは傾斜軸のいずれかを自由に選択することができる結果、どちらの端部側に気流導入口を設けるかも自由に選択できるのである。
【００５７】
しかし、気流中の液分及び粉塵が多量の場合には、筒体の軸を縦軸あるいは傾斜軸とし、下側の端部側に気流導入口を設けることが回転フィルタによって気流から分離された液分及び粉塵を回収し易くなるので有利である。
【００５８】
ところで、本発明の排煙及び／又は油ミストの処理方法及びその処理装置において用いられる回転駆動装置は、回転フィルタを回転駆動するものであれば特に限定されるものではなく、具体的には、公知のものが挙げられる。
【００５９】
本発明の排煙及び／又は油ミストの処理方法及びその処理装置においては、気流が回転フィルタの上流側からその周囲を通り抜けて下流側に流れることを防止することが好ましく、又、このためには、上記回転フィルタの回転抵抗ができるだけ小さくなるようにすることが好ましい。
【００６０】
そこで、本発明の排煙及び／又は油ミストの処理方法及びその処理装置においては、回転フィルタの外周部を筒体の内周面に接近させて回転フィルタと筒体との間に形成した第１の絞り口と、回転フィルタの近傍で筒体の内周面から筒体内に突出させたリングと回転フィルタの間に形成される第２の絞り口と、第１・第２両絞り口の間でリングと回転フィルタの間に形成される膨脹室とからなるラビリンスシールを設け、これにより、回転フィルタの回転抵抗を最小限に押さえながらも、効果的に気流が回転フィルタを回避して回転フィルタの上流側から下流側に通り抜けることを防止することが推奨される。
【００６１】
又、本発明の排煙及び／又は油ミストの処理方法及びその処理装置においては、回転フィルタに捕捉した液分や粉塵のうち少なくとも液分が堆積することを確実に防止するため、上記回転フィルタを起振装置で筒体の軸心方向に振動させ、回転フィルタに捕捉された液分及び粉塵のうち少なくとも液分を下方の収集部に落とすことが好ましい。
【００６２】
このような起振装置を設ける場合には、駆動装置ごと回転フィルタをその軸心方向に振動させることも可能であるが、起振装置の負荷を軽減するため、回転フィルタと駆動装置とをスプライン継手、セレーション継手、歯車軸継手、撓み板継手、自在継手、金属バネ継手、ゴム軸継手、ダイアフラム型軸継手などによって連結して、固定設置された駆動装置に対して回転フィルタが進退できるように構成することが好ましい。
【００６３】
又、上記起振装置は、回転フィルタを所定のストロークでその軸心方向に振動させるように構成してあればよく、例えば、回転フィルタに連動させた回転板をシリンダ、高周波発振器、カムなどよって往復駆動させるように構成することができるのであり、これらの中では、構成が簡単で安価に実施できるようにするという観点から、回転フィルタに連動させた端面カムあるいは周面カムにより、回転フィルタ及びカムの回転に伴って自動的に回転フィルタ及びカムが往復移動するように構成するものが推奨される。
【００６４】
本発明の排煙及び／又は油ミストの処理方法及びその処理装置において処理される気流の中には、タール、ピッチ、グリースなどの高粘性液分が含まれていることが有る。このような高粘性液分は回転フィルタにより分離された後、筒体の内周面に膠着するおそれがある。
【００６５】
そこで、このような高粘性液分が含まれる気流を処理する場合には、筒体を加熱する加熱装置を設けて、筒体の内面に付着した高粘性液分を加熱して低粘性液化することが好ましい。
【００６６】
かかる加熱装置としては、バーナなどにより筒体を直接に加熱する直火方式、筒体の外周囲にジャケットを設け、このジャケットに空気、ガス、油などの熱媒体を循環させる熱媒体循環方式、筒体の外周囲に電気発熱体を配置した電熱方式など種々の公知の加熱装置を用いればよい。
【００６７】
これらの公知の加熱装置としては、熱電対、抵抗温度計、熱放射温度計、光高温計、放射温度計などの温度センサを用いて温度を監視し、加熱温度をフィードバック制御により高精度に制御することが容易な電熱方式を採用することが推奨される。
【００６８】
本発明の排煙及び／又は油ミストの処理方法及びその処理装置においては、気流を回転フィルタに通過させることにより、気流中の液分や粉塵のうち少なくとも液分が、回転フィルタの回転により与えられる遠心力によって、回転フィルタの周囲に飛ばされ、筒体の内周面に当たる。
【００６９】
これら液分や粉塵を収集する収集部を、この回転フィルタの周囲や上方に設けることも可能であるが、収集部は回転フィルタ及び筒体の下方に設ける方が液分や粉塵の収集に何ら動力を必要としないので有利になる。
【００７０】
ただし、縦軸または傾斜軸の筒体及び回転フィルタを用いて、このように収集部を回転フィルタ及び筒体の下方に設ける場合には、回転フィルタよりも下流側への液分及び粉塵の逸流を防止するため、筒体の気流導入口が回転フィルタよりも下方に設けられる。そして、この場合には、筒体内から収集部への液分や粉塵のうち少なくとも液分の収集を容易にするために、筒体の下端面全体を気流導入口として収集部内に開放し、気流を収集部を介して筒体に導くことが推奨される。
【００７１】
この収集部には、液分と粉塵のうち少なくとも液分が流下ないし落下してくるが、これらを分別して収集することが、後処理を容易にできるので有利である。
【００７２】
このため、収集部内に液体吸収能力を有する液分吸収層を配置して、液分をこの液分吸収層に吸収させることにより、粉塵から分別することが考えられる。
【００７３】
この液分吸収層としては、水分吸収能力に優れた粉状、粒状又はフィルム・シート状の吸水性ポリマー、この吸水性ポリマーを担持させたシートないしマット、油分吸収能力に優れた粉状、粒状、フィルム状の吸油性ポリマー、この吸油性ポリマーを担持させたシートないしマット、吸水性ポリマーと吸油性ポリマーとの配合物、或いは、この配合物を担持させたシートないしマットなどが考えられる。
【００７４】
分別処理の徹底という観点からは、吸水性ポリマーを担持させたシートないしマットと吸油性ポリマーを担持させたシートないしマットとを収集部内に配置することが好ましい。
【００７５】
又、分別処理の徹底という観点からは、液分と粉塵とを収集する場合、これらを分別して収集することが好ましく、例えば、収集部内に粉塵を収集する粉塵収集部と、液分を収集する液分収集部とを上下に設けることが好ましい。この際、粉塵収集部と液分収集部とのいずれを上にし、いずれを下にするかは処理する気流から収集される液分と粉塵との性質及び量を考慮して自由に決定すればよい。
【００７６】
なお、本発明の排煙及び／又は油ミストの処理方法及びその処理装置において、収集部に収集された液分及び粉塵のうち少なくとも液分は、収集部の容量に限界があるため、適当な時期に収集部から外部に取り出される。したがって、収集部には、収集された液分及び粉塵のうち少なくとも液分を取り出すための蓋付きの開口部、蓋付きのシュート、外部から密閉された搬送装置などが付設される。
【００７７】
本発明の排煙及び／又は油ミストの処理方法及びその処理装置においては、気流の自然対流によって気流を排煙及び／又は油ミストの発生源から筒体を経て外部に流動させるようにしてもよいが、処理効率を安定させるために、送風機を設けて、気流を排煙及び／又は油ミストの発生源から筒体を経て外部に強制流動させることが好ましい。
【００７８】
又、本発明の排煙及び／又は油ミストの処理方法及びその処理装置においては、筒体の気流導出口に例えばサイクロン、スクラバー、ベンチュリースクラバー、バグフィルタ、電気集塵装置、ルーパ、沈降室、固定フィルタなどの気流から塵埃を除去する集塵装置を接続し、筒体から排出された気流から更に集塵装置によって塵埃を除去するようにしてもよく、また、必要に応じて、筒体の気流導出口に連通される有害ガス処理装置を設けて、筒体から排出された気流から有害ガス成分を除去するようにすることもできる。
【００７９】
この有害ガス処理装置としては、活性炭、ゼオライト、界面活性剤などの吸着剤を用いるものや、酸化、還元、中和などの化学処理剤を用いるものなどを用いればよい。
【００８０】
このように、筒体の後段に集塵装置や有害ガス処理装置を設ける場合、後段の集塵装置や有害ガス処理装置には酸性の液分が除去された気流が流れることになるので、筒体、更にこれに後続する集塵装置及び有害ガス処理装置の腐食を長期間にわたって防止できる結果、これらの設備の長寿命化を図ることができるのである。
【００８１】
また、気流を強制流動させる場合には、送風機を筒体の後段に設けることにより、送風機の酸食を防止して、送風機の寿命を長くすることができる。
【００８２】
ところで、本発明の排煙及び／又は油ミストの処理方法及びその処理装置においては、排煙及び／又は油ミストの発生源から気流が発生している場合、この発生源の作動と連動させて連続的に回転フィルタを回転させても良く、或いはこれに代えて、必要なときだけ、回転フィルタを回転させても良いのである。
【００８３】
即ち、この回転フィルタの回転は、排煙及び／又は油ミストの発生源の作動と連動させて連続的に回転させても良く、或いは、ある程度液分が回転フィルタに付着した後、回転フィルタを回転させても良く、つまり間欠的に回転フィルタを回転させても良いのである。
【００８４】
本発明の排水処理方法は、上記の目的を達成するために、筒体及び回転フィルタを縦軸に配置し、回転フィルタにその濾材の周囲を取り囲んで上流側に立ち上がる周囲枠を設け、排水発生源から導かれた排水を筒体内に導入し、筒体における排水導入口の近傍、或いは筒体内で排水流を横断して回転する回転フィルタに通過させることにより、排水中の浮遊物等の固形分を、回転フィルタの遠心力により、回転フィルタの周囲に排出して収集、除去することを特徴とするものである。
【００８５】
又、本発明の排水処理装置は、本発明の排水処理方法を実施するために、排水発生源に連通される排水導入口と、放水口に連通される排水導出口とを有する筒体と、筒体における排水導入口の近傍、或いは筒体における排水導入口と排水導出口との間に筒体の軸心周りに回転可能に配置され、且つこの軸心方向に通気性を有する円板状ないし円盤状の回転フィルタと、回転フィルタの遠心力により排水から分離されて該回転フィルタの周囲に排出された固形分を収集する収集部を備え、しかも前記筒体及び前記回転フィルタが縦軸に配置され、且つ回転フィルタの上方に排水導入口、下方に排水導出口が配置され、上記回転フィルタが濾材の周囲を取り囲み、上流側に立ち上がる周囲枠を設けて、回転フィルタを収集部に兼用させたことを特徴とするものである。
【００８６】
本発明の排水処理方法及び排水処理装置について更に詳細に説明すると、以下の通りである。
本発明が適用される排水発生源は、特に限定されるものではなく、具体的には、例えばガス冷却排水、焼却灰排水、事業所の排水処理施設などの種々の排水を発生する施設、工場、家庭などの排水発生源が広く含まれる。
【００８７】
これらの排水には多量の浮遊物等の固形分を含むが、本発明の排水処理方法及び排水処理装置では、排水処理に先立って、予め、これらの固形分の一部或いは大部分を除去し、後処理で発生する産業廃棄物の発生量を極力少なくし、この結果、産業廃棄物の全発生量を大幅に削減するものである。
【００８８】
本発明の排水処理方法及びその処理装置の筒体及び回転フィルタは、収集された固形分の回収を容易にするために、縦軸に配置し、回転フィルタにその濾材の周囲を取り囲んで上流側に立ち上がる周囲枠を設け、回転フィルタの遠心力により、回転フィルタの周囲に排出された固形分を収集するように構成されている。
【００８９】
又、この場合、回転フィルタの周囲枠の内周面及び濾材に沿って回転フィルタから取外し可能に回転フィルタに支持させた収集かごに、回転フィルタの遠心力により、回転フィルタの周囲に排出された固形分を収集するように構成すると、収集された固形分を筒体内から取り出すために回転フィルタを分解する必要がなくなり、一層容易に収集された固形分を回収できるようになる。
【００９０】
更に、本発明の排水処理方法及びその処理装置においては、収集された固形分が回転フィルタの下流側に流れることを防止することが好ましく、このため、回転フィルタの外周部を筒体の内周面に回転フィルタの回転によりラビリンス効果ないしスリンガ効果が生じる程度に接近させて、回転フィルタの回転により生じるラビリンス作用ないしスリンガ作用により、回転フィルタの遠心力により、回転フィルタの周囲に排出された固形分を回転フィルタよりも下流側への流出することを防止することが好ましいのである。
【００９１】
加えて、本発明の排水処理方法及びその処理装置においては、回転フィルタの周囲に排出された固形分の下流側への流出を一層確実に防止するために、上記筒体内の回転フィルタの下流側に回転リングを配置し、この回転リングの外周面を回転リングの回転によりラビリンス効果ないしスリンガ効果が生じる程度に筒体の内周面に接近させることにより、この回転リングのラビリンス作用により回転フィルタによって分離された固形分が回転リングよりも下流側に流出することを防止することが好ましいのである。
【００９２】
本発明の排水処理方法及びその処理装置においては、排水中に油分が含まれている場合、この油分を排水中から除去することが好ましく、このため、収集部内に油分を吸収する油分吸収層を配置することが挙げられる。
【００９３】
本発明の排水処理方法及びその処理装置においては、排水の流れを自然に任せてもよいのであるが、処理効率の安定性及び高効率性を確保するために、排水を筒体内で排水導入口から回転フィルタを通って排水導出口に強制流動させるポンプを設けて、排水発生源から排水を筒体を経て外部に強制流動させることがこのましい。
【００９４】
本発明の排水処理方法及びその処理装置における筒体、回転フィルタ等、その他の詳細な説明は、本発明の排煙処理方法及び排煙処理装置のそれらの説明と同様であるので重複説明を避けるために省略することにする。
【００９５】
【作  用】
本発明の排煙及び／又は油ミストの処理装置は、気流導入口と気流導出口とを有する筒体と、筒体における気流導入口の近傍、或いは筒体における気流導入口と気流導出口との間に筒体の軸心回りに回転可能に、かつ該筒体の軸心方向に振動可能に配置され、この軸心方向に通気性を有する板状ないし盤状の回転フィルタと、この回転フィルタを回転させる回転駆動装置と、この回転フィルタを筒体の軸心方向に振動させる起振装置と、回転フィルタにより気流から分離された液分及び粉塵のうち少なくとも液分を収集する収集部を備えるので、気流導入口から回転フィルタを通過して気流導出口から外部に流出する気流の流れを形成することができる。この流れの中で気流を、回転中の回転フィルタに通過させる。
【００９６】
そして、本発明の排煙処理方法及びその処理装置では、排煙及び／又は油ミストの発生源から気流を筒体における気流導入口の近傍、或いは筒体内に導き、この箇所で気流を横断して回転中の回転フィルタに通過させることにより、気流中の液分及び粉塵のうち少なくとも液分を、回転フィルタの遠心力により、回転フィルタからその周囲に排出される。
【００９７】
この回転フィルタによる液分及び粉塵のうち少なくとも液分の捕捉においては、濾材そのものに引っ掛かった液分等や、濾材に衝突した液分等も捕捉されるので、ベンチュリースクラバー、バッグフィルタ、電気集塵機など高価で大掛かりな装置なしには除去不能であった粒径０．１〜５０μｍ程度の微小な粒径以上の粒径を有する液分及び粉塵のうち少なくとも液分が回転フィルタの濾材に捕捉される。
【００９８】
しかも、回転フィルタの回転によって遠心力が与えられて、回転フィルタに液分及び粉塵が長くとどまることはなく、しかも、下流側に流れることなく、捕捉された位置から回転フィルタの周囲の筒体の内周面に飛び出す。そして、筒体の内周面に飛んだ液分及び粉塵は筒体の内周面で自然落下し、或いは、筒体の内周面に沿って流下し、回転フィルタ及び筒体の下方に設けた収集部に収集される。
【００９９】
つまり、気流中の液分には、特に、多量の塩素系化合物、窒素系酸化物、硫黄系酸化物などの酸性ガス含有の水分（微細な水滴）や油ミスト等の液分、更に微小な粉塵が含有されていることが多く、しかもこの酸性ガスは、腐食性が著しく高く、排煙及び／又は油ミストの処理施設を短期間で腐食したり、或いは、いわゆる酸性雨の原因となる。
【０１００】
ところが、本発明の排煙及び／又は油ミストの処理方法及びその処理装置では、回転ブラシの回転による遠心力により、簡単に酸性ガスを含有する液分及び粉塵を除去できるので排煙及び／又は油ミストの処理施設の長寿命化を図ることができる作用を有するのである。
【０１０１】
又、本発明の排煙及び／又は油ミストの処理方法及びその処理装置は、酸性ガスを含有する成分を回転ブラシによって除去できるから、施設が簡単で、至極設備費が安価になり、加えて、設置面積が少なくて良いので、設置箇所の自由度が高くなるうえ、そのメンテナンスも安価になる作用を有するのである。
【０１０２】
特に、本発明の排煙及び／油ミストの処理方法及びその処理装置においては、酸性ガスを含有する液分や粉塵を回転ブラシで除去し、この回転ブラシの設置には自由度が高いから、排煙及び／又は油ミストの発生源の近傍に設置することが可能である結果、早期にこの液分や粉塵を除去できるのであり、これによって、排煙及び／又は油ミストの処理施設の長寿命化を一層実現できるのである。
【０１０３】
更に、回転ブラシの回転によって収集された液分及び粉塵は比較的酸性度が高いが、量が少ないので、中和等の処理が簡便且つ安価にできる作用を有するのである。
【０１０４】
本発明の排水処理装置は、排水発生源に連通される排水導入口と、放水口に連通される排水導出口とを有する筒体と、筒体における排水導入口の近傍、或いは筒体における排水導入口と排水導出口との間に筒体の軸心回りに回転可能に配置され、且つこの軸心方向に通気性を有する円板状ないし円盤状の回転フィルタと、回転フィルタを回転させる回転駆動装置と、回転フィルタの遠心力により排水から分離されて該回転フィルタの周囲に排出された固形分を収集する収集部を備え、しかも前記筒体及び前記回転フィルタが縦軸に配置され、且つ回転フィルタの上方に排水導入口、下方に排水導出口が配置され、上記回転フィルタが濾材の周囲を取り囲み、上流側に立ち上がる周囲枠を設けて、回転フィルタを収集部に兼用させたので、筒体内に排水導入口から回転フィルタを通って排水導出口に流れる排水の流れを形成できるのであり、しかも、この流れの中で排水を回転している回転フィルタに通すことになる。
【０１０５】
この回転フィルタの回転により筒体内の排水流には回転成分が与えられ、排水中の固形成分は回転フィルタよりも上流側で水から遠心分離して筒体の周囲に飛ばされ、回転成分を得て排水の流れに乗って筒体の内周面に沿って沈降する。そして、排水中の固形成分が回転フィルタに接触すると、一層強力な遠心力を得て回転フィルタの周囲に飛ばされ、回転フィルタの上流側に収集されることになる。
【０１０６】
この固形分の水分からの分離は、固形分の自重による沈降に比べて遠心力によって加速されているので、凝固物の沈澱、濾過する場合に比べて、短時間で凝固物を分離し、排水を濾過できる。
【０１０７】
そして、本発明の排水処理方法及びその処理装置においては、排水処理前に、予め、有害物質を含有する浮遊物等の固形物を除去したり 、或いは有機系凝集剤を添加する前にこの固形物を除去できるから、フィルタープレスで加圧濾過を行うと、水分の含有率が著しく低くなって、産業廃棄物の発生量が著しく少なくなる作用を有するのである。
【０１０８】
又、本発明の排水処理方法及びその処理装置においては、排水処理前に、予め、有害物質を含有する浮遊物等の固形物を除去したり 、或いは有機系凝集剤を添加する前にこの固形物を除去できるから、後工程である中和処理や有機系凝集剤による凝集、沈殿の際に発生する産業廃棄物の発生量が著しく少なくなる作用を有するのである。
【０１０９】
【実施例】
以下、本発明の実施例を排煙処理装置の場合について図面に基づき具体的に説明するが、本発明はこれらに限定されるものではない。
【０１１０】
実施例１
図１は、本発明を排煙処理装置に適用した場合の一実施例を示すものであり、従って、この場合においては気流が排煙となる。
【０１１１】
この排煙処理装置は、例えばゴミ焼却処理装置からなる排煙発生源１が生成する排煙を処理するためのものであり、排煙発生源１から順に接続される主処理装置２と、電気集塵機３と、送風機４と、有害ガス処理装置５とを備えている。
【０１１２】
上記主処理装置２は、縦軸の有蓋円筒状の外套２１と、これの内部に同心状に配置された筒体２２と、外套２１の下端に固定された収集ボックス２３とを備え、収集ボックス２３内の上部で筒体２２の下端面を全面的に開口した排煙導入口２２ａが設けられ、上記収集ボックス２３が導入ダクト６を介して排煙発生源１に連通させることにより、排煙発生源１の排煙を収集ボックス２３を介して排煙導入口２２ａから筒体２２内に導入できるように構成されている。
【０１１３】
また、上記筒体２２の上端部の周壁を部分的に開放した排煙導出口２２ｂを設け、この排煙導出口２２ｂを外套２１内の上部空間、導出ダクト７及び電気集塵機３を介して送風機４の吸風口に連通させることにより、筒体２２内の排煙を強制的に筒体２２の排煙導出口２２ｂから排出し、電気集塵機３及び有害ガス処理装置５に通過させるようにしている。
【０１１４】
外套２１の上壁２１ａ上には支持枠２１ｂを介してモータ２４が支持され、このモータ２４にスプライン継手２５を介して回転昇降軸２６が連結されている。
【０１１５】
この回転昇降軸２６は起振装置２７によって昇降可能に支持され、又、この回転昇降軸２６の下端部に、筒体２２内の中間高さに配置される円盤状の回転フィルタ２８が固定されている。
【０１１６】
上記起振装置２７は、図２に示すように、回転昇降軸２６に固定され、下面にカム面を形成した端面カム２７ａと、この端面カム２７ａを下側から支承するローラ２７ｂと、端面カム２７ａの上面に転接される押さえローラ２７ｃと、この押さえローラ２７ｃを端面カム２７ａに押圧する押さえバネ２７ｄとを備え、回転昇降軸２６及び端面カム２７ａを回転させることにより、ローラ２７ｂで端面カム２７ａ及び回転軸を上下に振動させるようにしている。
【０１１７】
上記回転フィルタ２８は、図３に示すように、回転昇降軸２６に固定されている中心ボス２８ａとこれの周囲に放射状に植設された多数の線材からなる濾材２８ｂを備える回転ブラシで構成され、図１では誇張して示しているが、その外周部を筒体２２の内周面に接触ないし５ｍｍの距離まで接近させて筒体２２の内周面２２ｃと濾材２８ｂの外周面との間に第１の絞り口２９ａが形成されるようにしている。
【０１１８】
上記筒体２２の内周面２２ｃには、回転フィルタ２８の上側で回転フィルタ２８と干渉しない程度に回転フィルタ２８に接近して配置したラビリンスリング２９ｂが固定されている。
【０１１９】
このラビリンスリング２９ｂは例えば１０〜１００ｍｍ程度が回転フィルタ２８の周縁部から筒体２２の内側に突出させてあり、その下面の内周部に形成した突起と回転フィルタ２８の濾材２８ｂとの間に第２の絞り口２９ｃが形成され、この第２の絞り口２９ｃと、筒体２２の内周面２２ｃと、上記第１の絞り口２９ａとの間に膨張室２９ｄを形成し、これら第１・第２両絞り口２９ａ・２９ｃ及び膨張室２９ｄによってラビリンスシール２９が構成されている。
【０１２０】
なお、上記回転昇降軸２６は、図１に示すように、このラビリンスリング２９ｂを介して筒体２２に支持される下部ベアリング３１ａと、外套２１の上壁２１ａに固定した上部ベアリング３１ｂとに昇降可能に、かつ、回転自在に支持され、これにより、回転モーメントの不釣り合いによる振動の発生を防止するようにしている。
【０１２１】
ところで、排煙発生源１から排煙を筒体２２内に導入し、筒体２２内の排煙導入口２２ａと排煙導出口２２ｂとの間に筒体２２の軸心回りに回転可能に、しかも排煙流を横断して回転可能に配置されていることが望ましい。
【０１２２】
即ち、このように酸性ガス等を含む排煙は、排煙発生源１から発生した後、直ちに、処理するのが望ましい。
【０１２３】
しかしながら、図示しないが、これとは逆に、筒体２２における排煙導出口２２ｂに回転フィルタ２８を設け、この回転フィルタ２８における排煙導入口２２ａ側に螺旋状の搬送フィルタを設け、上記回転フィルタ２８によって飛ばされ、且つ筒体２２の内壁面に付着した液分を、この螺旋状の搬送フィルタによて強制的に液分の収集部に送り込むようにしても良いのである。このように螺旋状フィルタを用いることにより、この螺旋状フィルタが液分を強制的に液分の収集部に送り込むだけでなく、排煙発生源１から発生した液分や粉塵も除去するので望ましい。
【０１２４】
この螺旋状の搬送フィルタとしては、筒体２２の内壁面に付着した液分を強制的に液分収集部に送り込むような構造にしてあれば特に限定されるものではないが、具体的には、例えば螺旋状の回転ブラシが挙げられる。
【０１２５】
ところで、排煙導入口２２ａ及び排煙導出口２２ｂの開口状態は特に限定されるものではなく、例えば筒体２２の端面の全部または一部にわたって開口してもよく、又、筒体の周面に開口させてもよい。
【０１２６】
又、外套２１と筒体２２との間には筒体２２を加熱する電気ヒータ３０を挿入してある。
【０１２７】
上記収集ボックス２３は、箱型に形成され、その片面に蓋２３ａで開閉される開口部２３ｂが設けられ、この開口部２３ｂからその内部に筒体２２の下方に粉塵収集トレイ２３ｃと液分収集トレイ２３ｄとが上下に重ねて挿抜される。
【０１２８】
又、上記粉塵収集トレイ２３ｃの底壁は通油性及び通水性に富んだ多孔質板で形成され、酸性ガスを含有する液分がこの粉塵収集トレイ２３ｃの底壁を通ってその下方の液分収集トレイ２３ｄに滴下するようにしている。
【０１２９】
更に、この液分収集トレイ２３ｄには、油分吸収性に富んだ吸油性ポリマーを担持させた吸油性マット２３ｅと吸水性に富んだ吸水性ポリマーを担持させた吸水性マット２３ｆが例えば上下に重ねて収納される。
【０１３０】
この実施例に係る排煙処理装置を用いる本発明の一実施例に係る排煙処理方法では、送風機４を運転することにより、排煙発生源１から導入ダクト６、収集ボックス２３内、筒体２２内、導出ダクト７、電気集塵機３、送風機４、有害ガス処理装置５を経て大気中に流れる排煙の流れが強制的に形成される。
【０１３１】
この強制的に形成される排煙の流れが筒体２２内でモータ２４により回転駆動されている回転フィルタ２８を通過する時に、排煙中の油分や水分などの液分や粉塵が捕捉され、回転フィルタ２８によって与えられる遠心力によって筒体２２の内周面に飛ばされる。
【０１３２】
ここで、筒体２２内の排煙の流れの一部分は回転フィルタ２８の外周部と筒体２２の内周面２２ｃとの間を通って回転フィルタ２８の上流側から下流側に流れようとするがこの流れはラビリンスシール２９によって妨げられるので、排煙中の液分や粉塵がこの流れに乗って、或いは、この流れに押されて回転フィルタ２８の下流側に流れることは無視できる程度になる。
【０１３３】
上記回転フィルタ２８の濾材２８ｂはこの目（線材の間の空間）を塞ぐ液分及び粉塵と共に、濾材２８ｂの各線材に引っ掛かった液分及び粉塵や、単に濾材２８ｂの各線材と衝突した液分及び粉塵も捕捉するので、０．１〜５０μｍ程度の粒径が微小な液分及び粉塵も多量に回転フィルタ２８によって捕捉され、従って、０．１〜５０μｍ程度以上のの粒径を有する液分及び粉塵、即ち、排煙中に浮遊していたほぼ全ての液分及び粉塵が回転フィルタ２８に捕捉される。
【０１３４】
そして、回転フィルタ２８に捕捉された液分及び粉塵は回転フィルタ２８の回転により与えられる遠心力により、筒体２２の内周面２２ｃに飛ばされ、この内周面２２ｃから自重により下方に落下したり、この内周面２２ｃに付着し、更に自重によってこの内周面２２ｃを伝って下方に流下したりする。
【０１３５】
又、回転フィルタ２８に捕捉された粉塵及び液分の中には、回転フィルタ２８の濾材２８ｂの間に詰まって外周方向に飛ばされ難くなるものもあるが、起振装置２７によって回転フィルタ２８に上下振動を与えることにより、回転フィルタ２８の濾材２８ｂの間に詰まった粉塵及び液分が下方に振り落とされるので、回転フィルタ２８の目詰まりは自動的に解消されたり、回転フィルタ２８の回転の際に、濾材２８ｂどおしが弾性復元する際に衝突し合って当該濾材２８ｂの目詰まりは自動的に解消される。
【０１３６】
上記のように筒体２２内に回転フィルタ２８を設けるのに代えて、筒体２２における排煙導入口２２ａの近傍において、排煙を１回だけ回転フィルタ２８に通過させるだけでもよいが、複数回にわたって回転フィルタ２８に通過させてもよいのである。
【０１３７】
なお、この実施例では、筒体２２の内周面に沿って流下する液分が排煙の流れによって上方に押し上げられることを防止するため、筒体２２の内周面２２ｃに多数の凹溝２２ｄを凹設し、液分が内周面２２ｃに沿って円滑に流下するようにしている。
【０１３８】
筒体２２の内周面２２ｃに飛ばされる液分の中には、タール、グリースなどの高粘性の液分も含まれているが、この高粘性の液分は、電気ヒータ３０によって加熱することにより低粘性の液分となるので、他の低粘性の液分と共に内周面２２ｃに沿って円滑に流下する。
【０１３９】
筒体２２内を落下する粉塵や、筒体２２の内周面２２ｃに沿って流下する液分は排煙導入口２２ａから収集ボックス２３内の粉塵収集トレイ２３ｃに落下し、液分は更に粉塵収集トレイ２３ｃの底壁を通ってその下方の液分収集トレイ２３ｄに滴下し、酸性ガスを含有する液分のうち、油分は吸油性マット２３ｅに、水分は吸水性マット２３ｆにそれぞれ吸収される。
【０１４０】
即ち、粉塵は粉塵収集トレイ２３ｃに分別して収集され、油分は液分収集トレイ２３ｄの吸油マット２３ｅに分別されて収集され、水分は液分収集トレイ２３ｄの吸水マット２３ｆに分別して収集されることになる。
【０１４１】
そして、適当な運転時間が経過した後、蓋２３ａを開いて、粉塵収集トレイ２３ｃ及び液分収集トレイ２３ｄを開口部２３ｂから取り出し、空の粉塵収集トレイ２３ｃ及び新しい吸油性マット２３ｅ及び吸水性マット２３ｆを入れた液分収集トレイ２３ｄに交換される。
【０１４２】
主処理装置２から取り出され粉塵収集トレイ２３ｃに収集された粉塵（酸性ガスを含有する。）、吸油性マット２３ｅに吸収させた油分（酸性ガスを含有する。）、吸水性マット２３ｆに吸収させた水分（酸性ガスを含有する。）、液分収集トレイ２３ｄに収集された油分及び水分以外の液分はそれぞれすでに分別されているので、これらを主処理装置２から取り出した後に分別する手間と時間がほとんど不要になり、それぞれに適した後処理行程に分けて処理されることになる。
【０１４３】
又、主処理装置２において大部分の粉塵と共に、酸性の水分の大部分が排煙から分離されているので、後段の電気集塵機３、送風機４及び有害ガス処理装置５には腐食性物質の生成する塩素系化合部、窒素系酸化物、硫黄系酸化物などの酸性ガス濃度が極めて低濃度になった排煙が送られることになり、これら電気集塵機３、送風機４及び有害ガス処理装置５の腐食が長期間にわたって防止され、耐用期間を著しく長くすることができる。
【０１４４】
この排煙処理装置を用い、ゴミ焼却炉から発生した排煙を処理したところ、塩素系化合部、窒素系酸化物、硫黄系酸化物などの酸性ガスが４５〜６５％除去されることが認められた。
【０１４５】
この酸性ガスの除去量は以下の方法で測定した。
即ち、▲１▼ まず一定濃度の水酸化ナトリウム溶液に所定量の排煙を透過させて酸性ガスをほぼ完全に吸収させた後、残存する水酸化ナトリウムを塩酸の標準液で測定する。これからゴミ焼却炉から発生する酸性ガスの発生量を求める。
【０１４６】
一方、▲２▼ ゴミ焼却炉から発生した排煙を、上記排煙処理装置で処理した後、この処理後の排煙の所定量を、一定濃度の水酸化ナトリウム溶液に透過させて酸性ガスをほぼ完全に吸収させた後、残存する水酸化ナトリウムを塩酸の標準液で測定する。これによって、上記排煙処理装置で処理した後の酸性ガスの残存量を求める。
【０１４７】
上記の▲１▼と▲２▼の差から酸性ガスの除去量を測定した。
【０１４８】
実施例２
図４に示す本発明の他の実施例に係る排煙処理装置では、筒体２２内に回転フィルタ２８とラビリンスリング２９ｂが上下３段に重ねて設けられる。
【０１４９】
この場合、図３に示すように、各段の回転フィルタ２８の濾材２８ｂの密度は同じにしてもよく、又、上段になるほど線材の密度が緻密になるようにし、上段になるほど粒径の細かい塵埃及び液分を捕捉できるようにしてもよい。
【０１５０】
又、図３に示すように、各ラビリンスリング２９ｂの少なくとも外周上部に下広がりのテーパ面からなる案内面２９ｅを形成し、その上側の回転フィルタ２８によって捕捉された粉塵及び液分を筒体２２の内周面２２ｃに形成した凹溝２２ｄに案内し、凹溝２２ｄに沿って円滑に下方に落下ないし流下できるようにしている。
【０１５１】
又、本発明においては、図示しないが、排煙を１回だけ回転フィルタ２８に通過させるだけでもよいが、複数回にわたって回転フィルタ２８に通過させてもよい。この場合、１つの回転フィルタ２８を備える複数の筒体２２に順に排煙を導くようにしてもよく、１つの筒体２２内に複数の回転フィルタ２８が筒体２２の軸心方向に並べて多段に設けられ、共通のモータ２４によりこれら回転フィルタ２８が駆動されるようにしてもよい。
【０１５２】
このように、１つの筒体２２内に複数の回転フィルタ２８が筒体２２の軸心方向に並べて多段に設けられ、共通のモータ２４によりこれら回転フィルタ２８が駆動されるように構成した場合において、この隣接する回転ブラシ２８間に筒体２２の内壁面に付着した液分を強制的に液分の収集部に送り込む螺旋状の搬送フィルタを設けると、確実に当該液分を液分の収集部に搬送できるので至極有益である。又、このように螺旋状フィルタを用いることにより、この螺旋状フィルタが液分を強制的に液分収集部に送り込むだけでなく、排煙発生源１から発生した液分や粉塵も除去するので望ましい。
【０１５３】
このように筒体２２内に回転フィルタ２８を設けるのに代えて、筒体２２における排煙導入口２２ａの近傍において、排煙を１回だけ回転フィルタ２８に通過させるだけでもよいが、複数回にわたって回転フィルタ２８に通過させてもよいのである。
【０１５４】
この実施例のその他の構成、作用ないし効果は上記の一実施例のそれらと同様であるので、重複を避けるためこれらの説明は省略する。
【０１５５】
この排煙処理装置を用い、ゴミ焼却炉から発生した排煙を処理したところ、塩素系化合部、窒素系酸化物、硫黄系酸化物などの酸性ガスが５５〜８５％除去されることが認められた。
この酸性ガスの除去量は実施例１の場合と同様の方法で測定した。
【０１５６】
実施例３
図５に示す本発明の又他の実施例に係る排煙処理装置では、主処理装置２の前段に液分離装置８が設けられ、又、筒体２２内には上下３段の回転フィルタ２８及びラビリンスリング２９ｂが設けられ、各回転フィルタ２８の濾材２８ｂが単層又は複数層の網板で構成されている。
【０１５７】
上記液分離装置８は、多量の液分を含む排煙から大部分の液分を分離して収集できるようにしてあればよく、ここでは、箱状の匣体８１内に多数の邪魔板８２ａ・８２ｂを平行に設け、各邪魔板８２の上下に上下交互に通気路８３を開口して、匣体８１を排煙が蛇行しながら流れるようにして、排煙の流れが曲がる所で慣性によって液分が排煙流から分離されるようにしたものを用いている。
【０１５８】
なお、この場合には、匣体８１の上壁から連出した邪魔板８２ａは平板で構成れているが、匣体８１の下壁から連出した邪魔板８２ｂの上端部をその上流側の上壁から連出した邪魔板８２ａ側に折り曲げて、排煙の流路断面積を変化させることにより圧力差を生じさせ、これにより、液分の回収効率が高められるようにしている。
【０１５９】
また、匣体８１の底部には、分離された液分を収集室８４に収集するための配管８５が接続され、この配管８５に介在させたポンプ８６によって匣体８１で分離された液分を収集室８４に強制的に排出するようにしている。
【０１６０】
このように液分離装置８を主処理装置２の前段に配置する場合には、処理能力が小さい主処理装置２を用いて、主処理装置２の敷設面積を小さくすることができる。
【０１６１】
なお、この実施例では、収集ボックス２３の下壁に開口部２３ｂが開口され、この開口部２３ｂを開閉する蓋２３ａが下壁の一部分に兼用されている。
【０１６２】
この実施例のその他の構成、作用ないし効果は前例のそれらと同様であるので、重複を避けるためこれらの説明は省略する。
【０１６３】
上記実施例では、発明を排煙処理装置に適用した場合について説明したが、本発明は、同様の原理で、油ミストの処理装置にも適用できることはいうまでもない。
【０１６４】
実施例４
以下に、本発明を排水処理装置に適用した場合について説明する。
図６に示す本発明の一実施例に係る排水処理装置は、外套１０１内に配置された円筒形の筒体１０２と、この筒体１０２内の中間高さ部に、筒体１０２の軸心回りに回転可能に配置された回転フィルタ１０３と、外套１０１の底壁の下方に配置され、且つこの回転フィルタ１０３を駆動するモータ１０４とを備える。
【０１６５】
上記筒体１０２にはその上部周面を周方向に部分的に開放した排水導入口１０５が形成されていると共に、その下部周面を周方向に部分的に開放した排水導出口１０６が形成されている。
【０１６６】
この排水導入口１０５を外套１０１内の上部空間に、しかも導入パイプ１０７を介して排水発生源１０８に連通させる一方、ポンプ１０９を介在させた導出ダクト１１０を、例えば水溶性の有害物質を除去する排水処理装置１１１に連通させ、排水発生源１０８の排水を強制的に筒体１０２に導入し、回転フィルタ１０３に通過させてから上記排水処理装置１１１に送出するように構成している。
【０１６７】
上記回転フィルタ１０３は、モータ１０４に連結した回転軸１１２の上端に固定される中心ボス１１３と、この中心ボス１１３に固定された単層又は複数層の網体からなる濾材１１４と、これの外周囲に固定された周囲枠１１５とを備え、この周囲枠１１５を濾材１１４の上側、即ち、排水の流れの上流側に延出することにより、回転フィルタ１０３が濾材１１４によって排水から濾し残された固形浮遊物を収集する収集部に兼用されるようにしている。
【０１６８】
又、上記外套１０１の上壁には、蓋１１６によって開閉される開口部１１７が形成され、この開口部１１７から回転フィルタ１０３における周囲枠１１５の内周面、濾材１１４の上面及び中心ボス１１３の上面に沿い、回転フィルタ１０３に回転ィルタ１０３から取外し可能に支持される収集かご１１８が設けられている。
【０１６９】
更に、図７に示すように、上記周囲枠１１５の外周面を筒体１０２の内周面に接近させ、周囲枠１１５の外周面と筒体１０２の内周面との間に第１の絞り口１１９を形成する一方、回転フィルタ１０３の下側に配置したラビリンスリング１２０を筒体１０２の内周面に固定し、このラビリンスリング１２０の上面内周部を回転フィルタ１０３の濾材１１４の下面の近傍まで突出させてこの突出部と回転フィルタ１０３の濾材１１４との間に第２の絞り口１２１を形成すると共に、上記第１・第２両絞り口１１９・１２１の間でラビリンスリング１２０と回転フィルタ１０３との間に膨張室１２２を形成し、これら第１・第２両絞り口１１９・１２１と膨張室１２２とによってラビリンスシール１２３が形成される。
【０１７０】
なお、上記モータ１０４と回転フィルタ１０３とを連結する回転軸１１２は、外套１０１の底壁に固定した防水ベアリング１２４ａとラビリンスリング１２０を介して筒体１０２に支持させた上部ベアリング１２４ｂによって回転可能に支持されている。
【０１７１】
この排水処理装置を用いる本発明の一実施例に係る排水処理方法では、ポンプ１０９を運転することにより、排水発生源１０８から主処理装置１００内を通り、排水処理装置１１１に流れる水流が強制的に形成される。
【０１７２】
この水流には、筒体１０２内で回転フィルタ１０３が回転することにより、回転成分が与えられ、水流中の固形分が遠心力で筒体１０２の周囲に飛ばされ、自重で沈降して行く。そして、水流が筒体１０２内で回転フィルタ１０３を通過する時には、排水中に浮遊する固形分が回転フィルタ１０３に捕捉され、回転フィルタ１０３の回転により与えられる遠心力で一層強力に回転フィルタ１０３の周囲に飛ばされる。
【０１７３】
ここで、筒体１０２内の排水の流れの一部分は回転フィルタ１０３の外周面と筒体１０２の内周面との間を通って回転フィルタ１０３の上流側から下流側に流れようとするが、この流れはラビリンスシール１２３によって妨げられるので、排水中の固形分がこの流れに乗って、或いは、この流れに押されて回転スィルタ１０３の下流側に流れることは無視できる程度の微量になる。
【０１７４】
回転フィルタ１０３の濾材１１４はこの目（線材の間の空間）を塞ぐ固形分と共に、濾材１１４の各線材に引っ掛かった固形分や、単に濾材１１４の各線材と衝突した固形分も捕捉するので、０．１〜５０μｍ程度の粒径が微小な固形分も多量に回転フィルタ１０３によって捕捉され、従って、０．１〜５０μｍ程度以上の粒径を有する固形分、即ち、排水中に浮遊していたほぼ全ての固形分が回転フィルタ１０３に捕捉される。
【０１７５】
この場合、固形分には水流と直交する方向に強い遠心力が作用するので、例えばガス冷却排水、焼却灰排水などの難濾過性排水であっても、その中の固形分を排水から分離して回転フィルタ１０３の周囲に飛ばすことができる。
【０１７６】
そして、回転フィルタ１０３に捕捉された固形分は回転フィルタ１０３の回転により与えられる遠心力により、周囲枠１１５の内周面に飛ばされ、更に遠心力及び後続して周囲枠１１５の内周面に飛ばされてきた固形分によって収集部に押し上げられ、収集かご１１８内に収集される。
【０１７７】
そして、適当な運転時間が経過した後、蓋１１６を開いて、収集かご１１８を開口部１１７から取り出し、空の収集かご１１８に交換される。
【０１７８】
そして、本発明の排水処理方法においては、排水処理前に、予め、有害物質を含有する浮遊物等の固形物を除去したり 、或いは有機系凝集剤を添加する前にこの固形物を除去できるから、フィルタープレスで加圧濾過を行うと、水分の含有率が著しく低くなって、産業廃棄物の発生量が著しく少なくなるのである。
【０１７９】
又、本発明の排水処理方法においては、排水処理前に、予め、有害物質を含有する浮遊物等の固形物を除去したり 、或いは有機系凝集剤を添加する前にこの固形物を除去できているから、後工程である中和処理や有機系凝集剤による凝集、沈殿の際に発生する産業廃棄物の発生量が著しく少なくなる結果、全産業廃棄物の発生量を１５〜２５％減少させることができるのである。
【０１８０】
【発明の効果】
以上に説明したように、本発明の排煙及び／又は油ミストの処理方法は、排煙及び／又は油ミストの発生源から気流を筒体内に導入し、筒体における気流導入口の近傍、或いは筒体内で気流を横断して回転する回転フィルタに通過させることにより、気流中の液分及び粉塵のうち少なくとも液分を、回転フィルタの遠心力により、当該回転フィルタからその周囲に収集、除去する。
【０１８１】
これにより、濾材の目を塞いで捕捉される液分及び粉塵だけでなく、濾材そのものに引っ掛かった液分及び粉塵や、濾材に衝突したも捕捉されるので、ベンチュリースクラバー、バッグフィルタ、電気集塵機など高価で大掛かりな装置なしには除去不能であった粒径０．１〜５０μｍ程度の微小な粒径以上の粒径を有する液分及び粉塵が回転フィルタの濾材に捕捉される。
【０１８２】
しかも、回転フィルタの回転により遠心力を与えられて、回転フィルタに液分及び粉塵が長くとどまることはなく、しかも、下流側に流れることなく、捕捉された位置から回転フィルタの周囲の筒体の内周面に飛び出す。そして、筒体の内周面に飛んだ液分及び粉塵は収集、除去される。
【０１８３】
そして、この筒体の内周面に飛んだ液分及び粉塵は、例えば筒体の内周面で弾かれて筒体の内周面に収集される。この場合、この液分及び粉塵を筒体の内周面に沿って流下させ、例えば回転フィルタ及び筒体の下方に設けた収集部に収集するように構成される。
【０１８４】
つまり、排煙及び／又は油ミストの中の液分及び粉塵、特に、ゴミ焼却施設からの気流（排煙）中の液分及び粉塵には、焼却施設の腐食原因となったり、酸性雨の原因物質となる塩素系化合物、窒素系酸化物、硫黄系酸化物などの酸性物質を多量に含んでいるが、この液分や粉塵を簡単に、かつ、安価に、しかも、多量に排煙から分離され、収集部に収集される結果、後段に接続される集塵装置、煙道、有害ガス処理装置等の施設の腐食を長期間にわたって防止することができる。
【０１８５】
又、回転フィルタの濾材に捕集した液分や粉塵が遠心力によって回転フィルタから飛ばされ、回転フィルタに長時間接触することがないので、回転フィルタが長期間目詰まりするおそれが無くなる上、回転フィルタ及びこれの周囲の腐食を長期間にわたって防止できる。
【０１８６】
この点は、製鉄業や金属の切削加工業等の油ミストの発生源から油ミストを同様に除去できる。
【０１８７】
本発明の排煙及び／又は油ミストの処理方法において、特に排煙及び／又は油ミストの発生源と筒体との間の通気路に液分離装置を設け、この液分離装置によって気流中の液分の大部分を分離、回収した後、回転フィルタによって気流から残りの液分及び粉塵を分離する場合には、多量の液分を含む気流から、先ず、液分離装置によって気流中の液分の大部分を分離、回収できるので、粉塵及び液分を捕捉する能力が小さい、比較的小径の回転フィルタを用いて、装置全体を小型にすることができる。
【０１８８】
又、本発明の排煙及び／又は油ミストの処理方法は、例えば酸性ガスを含有する成分を回転ブラシによって除去できるから、施設が簡単で、至極設備費が安価になり、加えて、設置面積が少なくて良いので、設置箇所の自由度が高くなるうえ、そのメンテナンスも安価になる結果、至極有益である。
【０１８９】
特に、本発明の排煙及び／又は油ミストの処理方法においては、例えば酸性ガスを含有する液分や粉塵を回転ブラシで除去し、この回転ブラシは小型化が可能で、その設置には自由度が高いから、排煙及び／又は油ミストの発生源の近傍に設置することが可能である結果、早期にこの液分や粉塵を除去できるのであり、これによって、排煙処理施設の長寿命化を一層実現できるのである。
【０１９０】
更に、気流が酸性ガスを含有する場合、回転ブラシの回転によって収集された液分及び粉塵は比較的酸性度が高いが、量が少ないので、中和等の処理が簡便且つ安価にであり、この処理に必要な敷地面積を極度に少なくできる効果を有するのである。
【０１９１】
本発明の排煙及び／又は油ミストの処理方法において、特に上記回転フィルタと筒体との間にラビリンスシールを設けて回転フィルタの上流側からその周囲を通って下流側に気流が流れることを防止する場合には、気流のほぼ全体を回転フィルタに通過させることができるので、回転フィルタを通らずに下流側に液分や粉塵が流れることを確実に防止でき、一層確実に、例えば酸性成分を含有する液分を除去できる結果、後段に接続される集塵装置、通気路、有害ガス処理装置等の施設の腐食を一層長期間にわたって防止することができる効果を奏するのである。
【０１９２】
又、本発明の排煙及び／又は油ミストの処理方法において、特に回転フィルタを筒体の軸心方向に振動させ、回転フィルタに捕捉された液分及び粉塵を下方の収集部に払い落とす場合には、液分及び粉塵の残留による回転フィルタの目詰まりが長期間にわたって防止され、長期間にわたって高能率の液分及び粉塵除去能力を保持することができる。
【０１９３】
又、本発明の排煙及び／又は油ミストの処理方法に置いて、特に筒体の内面に付着した高粘性液分を加熱して低粘性液化する場合には、タール、グリースなどの高粘性液分の筒体内面への膠着を防止することができると共に、高粘性液分の収集が容易になる。
【０１９４】
又、本発明の排煙及び／又は油ミストの処理方法において、収集部に液体吸収能力を有する吸液層を配置し、収集部に収集された液分をこの吸液層に吸収させる場合には、液分を吸収したこの吸液層を収集部から取り出すことにより、簡単にこの吸液層に吸収させた液分を分別して取り出すことができる結果、後処理のためにその液分を分別する手間と時間が省けると共に、その液分に適した分別処理を行うことが容易になる。
【０１９５】
又、本発明の排煙及び／又は油ミストの処理方法において、特に収集部内で粉塵と液分とを分別して収集する場合には、後処理のために粉塵と液分とを分別する手間と時間とを省くことができる上、粉塵と液分とをそれぞれに適した分別処理を行うことが容易になる。
【０１９６】
更に、本発明の排煙及び／又は油ミストの処理方法において、特に気流を排煙及び／又は油ミストの発生源から筒体を経て外部に強制流動させる場合には、回転フィルタによる液分及び粉塵除去作用を安定良く、しかも、確実に行うことができる。
【０１９７】
加えて、本発明の排煙及び／又は油ミストの処理方法において、筒体から排出された気流から更に集塵装置によって塵埃を除去する場合には、気流中の粉塵を集塵装置によって一層確実に除去することができる結果、大気汚染を一層確実に防止できるようになる。
【０１９８】
又、本発明の排煙及び／又は油ミストの処理方法において、筒体から排出された気流から有害ガス除去装置で有害ガス成分を除去する場合には、回転フィルタでは除去できない有害ガスを処理することができるので、気流を有害ガスを含まない一層清浄な気流にして放出することができ、一層確実に大気汚染を防止できるようになる。
【０１９９】
次に、本発明の排煙及び／又は油ミストの処理装置は、排煙及び／又は油ミストの発生源に連通される気流導入口と大気中に連通される気流導出口とを有する筒体と、この筒体における気流導入口の近傍、或いは筒体における気流導入口と気流導出口との間に筒体の軸心回りに回転可能に配置され、この軸心方向に通気性を有する板状ないし盤状の回転フィルタと、この回転フィルタを回転させる回転駆動装置と、回転フィルタにより、気流から分離された液分及び粉塵のうち少なくとも液分を収集する収集部を備える。
【０２００】
これにより、気流を気流導入口から筒体の中に導入し、筒体内で気流を横断して回転する回転フィルタに通過させることにより、気流中の液分及び粉塵を回転フィルタに捕捉させ、遠心力により回転フィルタからその周囲に排出して、回転フィルタ及び筒体の下方に設けた収集部に流下ないし落下させて収集することができる。
【０２０１】
従って、濾材の目を塞いで捕捉される液分及び粉塵だけでなく、濾材そのものに引っ掛かった液分及び粉塵や、濾材に衝突した液分及び粉塵も捕捉されるので、ベンチュリースクラバー、バッグフィルタ、電気集塵機など高価で大掛かりな装置なしには除去不能であった粒径０．１〜５０μｍ程度の微小な粒径以上の粒径を有する液分及び粉塵が回転フィルタの濾材に捕捉、収集できるのであり、これにより、後段に接続される集塵装置、通気路、有害ガス処理装置等の施設の腐食を長期間にわたって防止することができる効果を奏するのである。
【０２０２】
つまり、特に液分の中でも塩素系化合物、窒素系酸化物、硫黄系酸化物などを含む場合、この酸性の水分を捕捉収集することにより、後段に接続される集塵装置、有害ガス処理装置などの腐食を長期間にわたって防止することができる。
【０２０３】
又、回転フィルタの濾材に捕集した液分や粉塵が遠心力によって回転フィルタから飛ばされ、回転フィルタに長時間接触することがないので、回転フィルタが長期間目詰まりするおそれが無くなる上、回転フィルタ及びこれの周囲の腐食を長期間にわたって防止できる。
【０２０４】
本発明の排煙及び／又は油ミストの処理装置において、特に回転フィルタの外周面を筒体の内周面に接近させて回転フィルタと筒体との間に形成した第１の絞り口と、回転フィルタの近傍で筒体の内周面から筒体内に突出させたリングと回転フィルタの間に形成される第２の絞り口と、第１・第２両絞り口の間でリングと回転フィルタの間に形成される膨脹室とからなるラビリンスシールを設ける場合には、このラビリンスシールによって回転フィルタの上流側からその周囲を通って下流側に気流が流れることを一層防止することができる結果、気流のほぼ全体を回転フィルタに通過させて、回転フィルタを通らずに下流側に液分や粉塵が流れることを確実に防止できるので、後段に接続される集塵装置、有害ガス処理装置などの腐食を一層長期間にわたって防止することができる。
【０２０５】
又、本発明の排煙及び／又は油ミストの処理装置において、特に回転フィルタが気流の流路に沿って多段に設けられる場合には、多量の液分及び粉塵を気流から分離して除去することができ、大流量の気流の処理、或いは、液分及び粉塵の濃度が濃い気流の処理ができたり、更に、各回転フィルタを小径にして装置の小型化を図ることができる。
【０２０６】
この場合、１つの筒体内に複数の回転フィルタが筒体の軸心方向に並べて多段に設けられ、共通の回転駆動装置によりこれら回転フィルタが駆動される場合には、構成が簡単になり、特に容易に、かつ、安価に実施できる。
【０２０７】
更にこの場合に、筒体及び回転フィルタが縦軸に配置される場合には、設備の設置平面積を小さくすることができる。
【０２０８】
又、本発明の排煙及び／又は油ミストの処理装置において、特に回転フィルタを筒体の軸心方向に振動させる起振装置が設けられる場合には、回転フィルタへの液分及び粉塵の堆積を回転フィルタを振動させることにより防止することができる結果、長期間にわたって高度の処理能力を維持することができる。
【０２０９】
又、本発明の排煙及び／又は油ミストの処理装置において、筒体を加熱する加熱装置が設けられる場合には、筒体の内周面に付着する高粘度液分を加熱して低粘性化し、筒体の内周面に沿って流下し易くできるので、高粘度液分が筒体の内周面に膠着して液分の流下を妨げることを防止できると共に、高粘度液分の収集が容易になる。
【０２１０】
更に、本発明の排煙及び／又は油ミストの処理装置において、上記収集部内に液体吸収能力を有する液分吸収層を配置した場合には、液分を吸収したこの吸液層を収集部から取り出すことにより、簡単にこの吸液層に吸収させた液分を分別して取り出すことができる結果、後処理のためにその液分を分別する手間と時間が省けると共に、その液分に適した分別処理を行うことが容易になる。
【０２１１】
本発明の排煙及び／又は油ミストの処理装置において、収集部内に粉塵を収集する粉塵収集部と、液分を収集する液分収集部とを上下に設けた場合には、後処理のために粉塵と液分とを分別する手間と時間とを省くことができる上、粉塵と液分とをそれぞれに適した分別処理を行うことが容易になる。
【０２１２】
本発明の排煙及び／又は油ミストの処理装置において、筒体の気流導出口に連通される集塵装置が設けられる場合には、気流中の粉塵を集塵装置によって一層確実に除去することができ、一層確実に大気汚染を防止できるようになる。
【０２１３】
本発明の排煙及び／又は油ミストの処理装置において、特に筒体の気流導出口に連通される有害ガス処理装置が設けられる場合には、回転フィルタでは除去できない有害ガスを処理することができるので、気流を有害ガスを含まない一層清浄な気流にして放出することができ、一層確実に大気汚染を防止できるようになる。
【０２１４】
又、本発明の排煙及び／又は油ミストの処理装置において、特に気流を筒体内で気流導入口から回転フィルタを通って気流導出口に強制流動させる送風機が設けられる場合には、回転フィルタによる液分及び粉塵除去作用を安定良く、しかも、確実に行うことができる。
【０２１５】
次に、本発明の排水処理方法は、排水発生源から導かれた排水を筒体内に導入し、筒体における排水導入口の近傍、或いは筒体内で排水流を横断して回転する回転フィルタに通過させることにより、排水中の浮遊物等の固形分を回転フィルタの遠心力により回転フィルタからその周囲に排出し、収集する。
【０２１６】
これにより、回転フィルタを回転させて筒体内の排水流には回転成分が与えられるのであり、排水中の固形分は水から遠心分離して筒体内の周囲に飛ばされ、筒体の内周面に沿って沈降する。又、固形分が回転フィルタに接触すると、一層強力な遠心力を得て回転フィルタの周囲に飛ばされ、一層効果的に筒体の内周面の近傍に収集され、筒体の内周面に沿って沈降することになる。その結果、凝固物の沈殿、濾過をする場合に比べて、短時間で凝固物を分離し、排水を浄化できるのであり、しかも、固形分が強力な遠心力によって水流から分離されるので、ガス冷却排水、焼却灰排水などの難濾過性排水の固形分でも効率よく分離して、収集できるようになる。
【０２１７】
そして、本発明の排水処理方法においては、排水処理前に、予め、有害物質を含有する浮遊物等の固形物を除去したり 、或いは有機系凝集剤を添加する前にこの固形物を除去できるから、フィルタープレスで加圧濾過を行うと、水分の含有率が著しく低くなって、産業廃棄物の生成量が著しく少なくなる結果、至極経済的に有利になる。
【０２１８】
又、本発明の排水処理方法においては、排水処理前に、予め、有害物質を含有する浮遊物等の固形物を除去したり 、或いは有機系凝集剤を添加する前にこの固形物を除去できるから、後工程である中和処理や有機系凝集剤による凝集、沈殿の際に発生する産業廃棄物の発生量が著しく少なくなり、全産業廃棄物の発生量が著しく減少させることができる効果を有するのである。
【０２１９】
又、本発明の排水処理方法において、筒体及び回転フィルタを縦軸に配置し、回転フィルタにその濾材の周囲を取り囲んで上流側に立ち上がる周囲枠を設け、回転フィルタ内に回転フィルタにより捕捉され、遠心力により回転フィルタの周囲に排出された固形分を収集するから、装置の敷設面積を小さくできるとともに、収集された固形物を筒体内から取り出し易くなる。
【０２２０】
この場合、上記回転フィルタの周囲枠の内周面及び濾材に沿って回転フィルタから取外し可能に回転フィルタに支持させた収集かごに、回転フィルタにより捕捉され、且つ遠心力により回転フィルタの周囲に排出された固形分を収集する場合には、この収集かごを交換することにより、一層簡単に固形物を筒体内から取り出せるようになる。
【０２２１】
又、本発明の排水処理方法において、特に回転フィルタと筒体との間に形成したラビリンスシールにより、回転フィルタの上流側からその周囲を通って下流側に排水が流れることを防止する場合には、回転フィルタの外周面と筒体の内周面との間を通って排水及び排水中の固形物が下流側に流れることが妨げられ、これにより、固形分が回転フィルタの下流側に流出することを防止でき、一層確実に固形分を分離収集できるようになる。
【０２２２】
又、本発明の排水処理方法において、排水発生源から排水を筒体を経て外部に強制流動させる場合には、回転フィルタによる固形分の分離収集を安定良く、しかも，確実におこなえるようになる。
【０２２３】
又、本発明の排水処理装置は、排水発生源に連通される排水導入口と、放水口に連通される排水導出口とを有する筒体と、この筒体における排水導入口の近傍、或いは筒体内の排水導入口と排水導出口との間に筒体の軸心周りに回転可能に配置され、且つこの軸心方向に通気性を有する円板状ないし円盤状の回転フィルタと、この回転フィルタを回転させる回転駆動装置と、回転フィルタの遠心力により排水から分離されて該回転フィルタの周囲に排出された固形分を収集する収集部を備え、しかも前記筒体及び前記回転フィルタが縦軸に配置され、且つ回転フィルタの上方に排水導入口、下方に排水導出口が配置され、上記回転フィルタが濾材の周囲を取り囲み、上流側に立ち上がる周囲枠を設けて、回転フィルタを収集部に兼用させているので、筒体内に排水導入口から回転フィルタを通って排水導出口に流れる排水の流れを形成でき、しかも、この流れの中で排水を回転している回転フィルタに通すことになる。
【０２２４】
この回転フィルタの回転により筒体内の排水流には回転成分が与えられ、排水中の固形成分は回転フィルタよりも上流側で水から遠心分離して筒体の周囲に飛ばされ、回転成分を得て排水の流れに乗って筒体の内周面に沿って沈降する。そして、排水中の固形成分が回転フィルタに接触すると、一層強力な遠心力を得て回転フィルタの周囲に飛ばされ、回転フィルタの上流側に収集されることになる。
【０２２５】
この固形分の水分からの分離は、固形分の自重による沈降に比べて遠心力によって加速されているので、凝固物の沈澱、濾過する場合に比べて、短時間で凝固物を分離し、排水を濾過できる。
【０２２６】
即ち、排水発生源から導かれた排水を筒体内に導き、筒体における排水導入口の近傍、或いは筒体内で排水流を横断して回転する回転フィルタに通過させることにより、排水中の固形分を回転フィルタに捕捉させ、遠心力により回転フィルタからその周囲に排出し、収集することができ、凝固物の沈澱、濾過をする場合に比べて、短時間で凝固物を分離し、排水を濾過でき、しかも、固形分が強力な遠心力によって水流から分離されるので、ガス冷却排水、焼却灰排水などの難濾過性排水の固形分でも効率よく分離して、収集できるようになる。
【０２２７】
そして、本発明の排水処理装置においては、排水処理前に、予め、有害物質を含有する浮遊物等の固形物を除去したり 、或いは有機系凝集剤を添加する前にこの固形物を除去できるから、フィルタープレスで加圧濾過を行うと、水分の含有率が著しく低くなって、産業廃棄物の発生量が著しく少なくなる結果、至極経済的に有利になる。
【０２２８】
又、本発明の排水処理装置においては、排水処理前に、予め、有害物質を含有する浮遊物等の固形物を除去したり 、或いは有機系凝集剤を添加する前にこの固形物を除去できるから、後工程である中和処理や有機系凝集剤による凝集、沈殿の際に発生する産業廃棄物の発生量が著しく少なくなり、全産業廃棄物の発生量が著しく減少させることができる効果を有するのである。
【０２２９】
本発明の排水処理装置において、特に筒体及び回転フィルタが縦軸に配置され、回転フィルタの上方に排水導入口が、また下方に排水導出口がそれぞれ配置され、上記回転フィルタが濾材の周囲を取り囲み、上流側に立ち上がる周囲枠を設けて、回転フィルタを収集部に兼用されているから、装置の敷設面積を小さくできるとともに、収集された固形物を筒体内から取り出し易くなるのである。
【０２３０】
この場合、上記回転フィルタの周囲枠の内周面及び濾材の上面に沿い、回転フィルタに回転フィルタから取外し可能に支持される収集かごを設ければ、この収集かごを交換することにより、一層簡単に収集された固形物を筒体内から取り出せるようになる。
【０２３１】
又、本発明の排水処理装置において、回転フィルタの外周面を筒体の内周面に接近させて形成した第１の絞り口、回転フィルタの近傍で筒体の内周面から内側に突出させたリングと回転フィルタの間に形成される第２の絞り口、及び、第１・第２両絞り口の間でリングと回転フィルタの間に形成される膨脹室からなるラビリンスシールを設けた場合には、このラビリンスシールにより、回転フィルタの外周面と筒体の内周面との間を通って排水及び排水中の固形物が下流側に流れることが妨げられ、これにより、固形分が回転フィルタの下流側に流出することを防止でき、一層確実に固形分を分離収集できるようになる。
【０２３２】
又、本発明の排水処理装置において、収集部内に油分を吸収する油分吸収層を配置した場合には、油分を吸収したこの油分吸収層を収集部から取り出すことにより、簡単にこの油分吸収層に吸収させた油分を分別して取り出すことができる結果、後処理のためにその油分を分別する手間と時間が省けると共に、油分に適した分別処理を行うことが容易になる。
【０２３３】
また、本発明の排水処理装置において、排水を筒体内で排水導入口から回転フィルタを通って排水導出口に強制流動させるポンプが設けられる場合には、回転フィルタによる固形分の分離収集を安定良く、しかも，確実に行えるるようになる。
【図面の簡単な説明】
【図１】図１は本発明の一実施例に係る排煙処理装置の構成図である。
【図２】図２は本発明の一実施例の起振装置の構成図である。
【図３】図３は本発明の一実施例のラビリンスシールの構成図である。
【図４】図４は本発明の他の実施例に係る排煙処理装置の構成図である。
【図５】図５は本発明の又他の実施例に係る排煙処理装置の構成図である。
【図６】図６は本発明の一実施例に係る排水処理装置の構成図である。
【図７】図７は本発明の一実施例に係る排水処理装置のラビリンスシールの構成図である。
【符号の説明】
１  排煙発生源
２  主処理装置
３  電気集塵機
４  送風機
５  有害ガス処理装置
２２  筒体
２２ａ  排煙導入口
２２ｂ  排煙導出口
２３  収集ボックス
２４  モータ
２７  起振装置
２８  回転フィルタ
２９  ラビリンスシール
８６  ポンプ
１００  主処理装置
１０２  筒体
１０３  回転フィルタ
１０４  モータ
１０５  排水導入口
１０６  排水導出口
１１２  回転軸
１１８  収集かご
【図１】
0003803402.tif 000002
【図２】
0003803402.tif 000003
【図３】
0003803402.tif 000004
【図４】
0003803402.tif 000005
【図５】
0003803402.tif 000006
【図６】
0003803402.tif 000007
【図７】
0003803402.tif 000008